(57)【要約】【課題】所定のプロトコルに対応していない第１のメディア通信装置が、当該所定のプロトコルのネットワークを介してメディア通信を行う。【解決手段】メディア配信制御装置において、第１のメディア通信装置がメディア配信制御装置に接続されている場合に、前記所定のプロトコルに従った制御メッセージにメディア情報を含め、当該制御メッセージを、前記ネットワークを介して対向装置に送信する手段と、前記対向装置からメディア情報を含む制御メッセージを受信したときに、当該メディア情報から取得した前記対向装置に対するメディア通信の宛先ポートの情報を、前記第１のメディア通信装置からメディアデータを受信するための受信ポートの情報と対応付けて記憶手段に格納する手段と、前記記憶手段に格納された情報に基づいて、前記受信ポートから受信したメディアデータを前記対向装置に対する前記宛先ポート宛てに転送するメディア通信手段とを備える。【選択図】図２
2013162241.tif 000002
【特許請求の範囲】
【請求項１】
所定のプロトコルで呼接続制御を行うネットワークを介して、当該所定のプロトコルに対応していない第１のメディア通信装置が第２のメディア通信装置とメディア通信を行うことを可能とするメディア配信制御装置であって、
前記第１のメディア通信装置が前記メディア配信制御装置に接続されている場合に、前記所定のプロトコルに従った制御メッセージに、前記メディア配信制御装置が前記メディア通信を行うことができることを示すメディア情報を含め、当該制御メッセージを、前記ネットワークを介して、前記第２のメディア通信装置を接続する対向装置に送信する手段と、
前記ネットワークを介して、前記対向装置から、当該対向装置が前記メディア通信を行うことができることを示すメディア情報を含む制御メッセージを受信したときに、当該メディア情報から取得した前記対向装置に対するメディア通信の宛先ポートの情報を、前記第１のメディア通信装置からメディアデータを受信するための受信ポートの情報と対応付けて記憶手段に格納する手段と、
前記記憶手段に格納された情報に基づいて、前記受信ポートから受信したメディアデータを前記対向装置に対する前記宛先ポート宛てに転送するメディア通信手段と
を備えることを特徴とするメディア配信制御装置。
【請求項２】
前記記憶手段には、前記対向装置からメディアデータを受信するための受信ポートの情報と、前記第１のメディア通信装置に対するメディア通信の宛先ポートの情報とが更に格納されており、
前記メディア通信手段は、前記記憶手段に格納された情報に基づいて、前記受信ポートから受信した前記対向装置から送出されたメディアデータを、前記第１のメディア通信装置に対する前記宛先ポート宛てに転送する
ことを特徴とする請求項１に記載のメディア配信制御装置。
【請求項３】
前記対向装置が複数存在する場合において、
前記記憶手段には、対向装置毎に対向装置に対する宛先ポートの情報が格納され、前記メディア通信手段は、前記第１のメディア通信装置から受信したメディアデータを、対向装置の数だけコピーし、コピーしたメディアデータを各対向装置に対する宛先ポート宛てに転送する
ことを特徴とする請求項１又は２に記載のメディア配信制御装置。
【請求項４】
前記所定のプロトコルはＳＩＰであり、前記メディアは映像であることを特徴とする請求項１ないし３のうちいずれか１項に記載のメディア配信制御装置。
【発明の詳細な説明】
【技術分野】
【０００１】
本発明は、映像通信等のメディア通信技術に関するものであり、特に、所定のプロトコル（例えばＳＩＰ（Session Initiation Protocol））に対応していないメディア通信装置が、当該所定のプロトコルで呼接続制御を行うネットワークを介してメディア通信を行うための技術に関するものである。
【背景技術】
【０００２】
近年、ＳＩＰを用いた呼接続制御により各種のメディア通信（音声、映像等）を行うことを可能とする通信ネットワークが普及してきている。また、ＳＩＰ通信機能を備えた通信端末装置も普及してきている。
【０００３】
例えば、特許文献１には、ＳＩＰ通信機能を備え、音声及び映像通信を行うことができる通信端末装置が開示されている。
【先行技術文献】
【特許文献】
【０００４】
【特許文献１】特開２００９−２０６７５６号公報
【発明の概要】
【発明が解決しようとする課題】
【０００５】
しかし、ＳＩＰに対応したＩＰ電話機等の音声通信装置は一般に普及しているものの、映像通信装置についてはＳＩＰに対応していない装置が多く存在する。
【０００６】
従って、例えば、ＳＩＰに対応した音声通信装置と、ＳＩＰに対応していない映像通信装置を保有する状況では、音声通信装置によりＳＩＰネットワークを介して音声通信を行うことができるものの、映像通信装置を用いたＳＩＰネットワークを介した映像通信ができないという問題がある。
【０００７】
本発明は上記の点に鑑みてなされたものであり、ＳＩＰ等の所定のプロトコルに対応していないメディア通信装置が、当該所定のプロトコルにて呼接続制御を行うネットワークを介して他のメディア通信装置とメディア通信を行うことを可能とする技術を提供することを目的とする。
【課題を解決するための手段】
【０００８】
上記の課題を解決するために、本発明は、所定のプロトコルで呼接続制御を行うネットワークを介して、当該所定のプロトコルに対応していない第１のメディア通信装置が第２のメディア通信装置とメディア通信を行うことを可能とするメディア配信制御装置であって、前記第１のメディア通信装置が前記メディア配信制御装置に接続されている場合に、前記所定のプロトコルに従った制御メッセージに、前記メディア配信制御装置が前記メディア通信を行うことができることを示すメディア情報を含め、当該制御メッセージを、前記ネットワークを介して、前記第２のメディア通信装置を接続する対向装置に送信する手段と、前記ネットワークを介して、前記対向装置から、当該対向装置が前記メディア通信を行うことができることを示すメディア情報を含む制御メッセージを受信したときに、当該メディア情報から取得した前記対向装置に対するメディア通信の宛先ポートの情報を、前記第１のメディア通信装置からメディアデータを受信するための受信ポートの情報と対応付けて記憶手段に格納する手段と、前記記憶手段に格納された情報に基づいて、前記受信ポートから受信したメディアデータを前記対向装置に対する前記宛先ポート宛てに転送するメディア通信手段とを備えることを特徴とするメディア配信制御装置として構成される。
【０００９】
前記記憶手段に、前記対向装置からメディアデータを受信するための受信ポートの情報と、前記第１のメディア通信装置に対するメディア通信の宛先ポートの情報とが更に格納され、前記メディア通信手段は、前記記憶手段に格納された情報に基づいて、前記受信ポートから受信した前記対向装置から送出されたメディアデータを、前記第１のメディア通信装置に対する前記宛先ポート宛てに転送するように構成してもよい。
【００１０】
前記対向装置が複数存在する場合において、前記記憶手段には、対向装置毎に対向装置に対する宛先ポートの情報が格納され、前記メディア通信手段は、前記第１のメディア通信装置から受信したメディアデータを、対向装置の数だけコピーし、コピーしたメディアデータを各対向装置に対する宛先ポート宛てに転送するようにしてもよい。例えば、前記所定のプロトコルはＳＩＰであり、前記メディアは映像である。
【発明の効果】
【００１１】
本発明によれば、ＳＩＰ等の所定のプロトコルに対応していないメディア通信装置が、当該所定のプロトコルにて呼接続制御を行うネットワークを介して他のメディア通信装置とメディア通信を行うことが可能となる。
【図面の簡単な説明】
【００１２】
【図１】第１の実施の形態に係るシステム構成図である。
【図２】第１の実施の形態に係るメディア配信制御装置Ａ１の機能構成図である。
【図３】第１の実施の形態に係るシステムの動作を説明するためのシーケンス図である。
【図４】設定情報格納部に格納される設定情報の例を示す図である。
【図５】設定情報格納部に格納される設定情報の例を示す図である。
【図６】第１の実施の形態の具体例を示した図である。
【図７】第２の実施の形態に係るシステム構成図である。
【図８】第２の実施の形態に係るシステムの動作を説明するためのシーケンス図である。
【図９】第３の実施の形態に係るシステム構成図（第１の例）である。
【図１０】第３の実施の形態に係るメディア配信制御装置Ａ１の機能構成図である。
【図１１】コピー処理を説明するための図である。
【図１２】第３の実施の形態に係るシステムの動作を説明するためのシーケンス図である。
【図１３】第３の実施の形態に係るシステム構成図（第２の例）である。
【発明を実施するための形態】
【００１３】
以下、図面を参照して本発明の実施の形態を説明する。なお、以下で説明する実施の形態は一例に過ぎず、本発明が適用される実施の形態は、以下の実施の形態に限られるわけではない。
【００１４】
＜第１の実施の形態＞
（システム構成）
図１に、本発明の第１の実施の形態に係るシステムの全体構成図を示す。図１に示すように、本実施の形態に係るシステムは、拠点Ａと拠点Ｂがネットワーク１０で接続された構成を有する。本実施の形態において、ネットワーク１０は、呼制御プロトコルとして所定のプロトコル（これをプロトコルＡとする）を用いるＩＰネットワークである。本実施の形態では、プロトコルＡはＳＩＰであることを想定しているが、プロトコルＡはＳＩＰに限られるわけではない。
【００１５】
拠点Ａには、メディア配信制御装置Ａ１、ディスプレイとカメラを接続した映像通信装置Ａ２、及びマイクとスピーカを有する電話機Ａ３が備えられる。同様に、拠点Ｂには、メディア配信制御装置Ｂ１、ディスプレイとカメラを接続した映像通信装置Ｂ２、及びマイクとスピーカを有する電話機Ｂ３が備えられる。本実施の形態では、拠点Ａと拠点Ｂに備えられる各装置は同じ機能を有するので、以下では、例として拠点Ａ内の装置について説明する。
【００１６】
電話機Ａ３は、プロトコルＡに対応したＩＰ電話機である。映像通信装置Ａ２は、ＩＰ通信により映像通信（具体的にはＲＴＰによる映像パケット通信）を行う機能を有するが、プロトコルＡに対応していない装置である。メディア配信制御装置Ａ１は、本発明に係る装置であり、プロトコルＡに対応していない映像通信装置間で、プロトコルＡに基づくネットワーク１０を経由した映像通信を可能とする装置である。
【００１７】
図２は、メディア配信制御装置Ａ１の機能構成図である。図２に示すように、本実施の形態に係るメディア配信制御装置Ａ１は、呼接続制御部Ａ１１、メディア通信部Ａ１２、外部ＩＦ部Ａ１３、設定情報格納部Ａ１４を備える。なお、メディア配信制御装置Ｂ１も同様に、呼接続制御部Ｂ１１、メディア通信部Ｂ１２、外部ＩＦ部Ｂ１３、設定情報格納部Ｂ１４を備える。
【００１８】
呼接続制御部Ａ１１は、プロトコルＡ（本実施の形態ではＳＩＰを想定）に基づく呼接続処理を行い、メディア通信のための通信セッションの確立等を行う機能部である。メディア通信部Ａ１２は、メディアデータの転送処理を行う機能部であり、本実施の形態では、音声パケットの転送処理を行う音声転送手段、及び映像パケットの転送処理を行う映像転送手段を含む。本実施の形態では、メディアデータの通信プロトコルとしてＲＴＰ（Real-time Transport Protocol）を用いており、上記の音声パケットと映像パケットはそれぞれ、音声ＲＴＰパケット、映像ＲＴＰパケットである。
【００１９】
外部ＩＦ部Ａ１３は、後述する動作を行うために必要な設定情報を設定するための機能部であり、例えば、ネットワーク接続された外部の端末にＧＵＩを提供し、当該端末のＧＵＩ経由で入力された情報を設定情報格納部Ａ１４に格納する機能を備える。また、外部ＩＦ部Ａ１３は、外部の端末等から、接続先等の指示を受けることにより、呼制御接続部Ａ１１に接続処理を開始するよう指示する機能を有してもよい。設定情報格納部Ａ１４に格納される情報の例については、後述する動作説明のところで説明する。
【００２０】
メディア配信制御装置Ａ１は、ＩＰ通信機能を有するコンピュータに、本実施の形態で説明する処理内容を記述したプログラムを実行させることにより実現可能である。すなわち、メディア配信制御装置Ａ１の各部で行われる処理や機能は、メディア配信制御装置Ａ１を構成するコンピュータに内蔵されるＣＰＵやメモリなどのハードウェア資源を用いて、各部で実施される処理に対応するプログラムを実行することによって実現することが可能である。また、当該プログラムは、当該プログラムを記録したＦＤ、ＣＤ−ＲＯＭ、ＤＶＤなどの記録媒体や、インターネットなどのネットワークを介して市場に流通させることができる。
【００２１】
（システムの動作）
次に、図３に示すシーケンス図のシーケンスに沿って、上記のように構成されるシステムの動作について説明する。音声通信に関しては既存技術で実施することができるので、以下では、特に映像通信に係る処理を中心に説明する。また、シーケンスにおけるメッセージは代表的なメッセージを示している。
【００２２】
また、以下の説明では、下記の記号を必要に応じて用いてＩＰアドレス及びポート番号を表すものとする。以下の記号において、Extは映像通信装置側を表し、Netはネットワーク側を表す。
【００２３】
ExtSendIP-A：映像通信装置Ａ２のＩＰアドレス（メディア配信制御装置Ａ１から見れば宛先IPアドレス）。
【００２４】
ExtSendPort-A：映像通信装置Ａ２の映像パケット受信ポート番号（メディア配信制御装置Ａ１から見れば宛先ポート番号）。
【００２５】
ExtRecvPort-A：映像通信装置Ａ２から映像パケットを受信する場合のメディア配信制御装置Ａ１の受信ポート番号。
【００２６】
NetRecvIP-A：メディア配信制御装置Ｂ１から映像パケットを受信する場合のメディア配信制御装置Ａ１のＩＰアドレス。
【００２７】
NetRecvPort-A：メディア配信制御装置Ｂ１から映像パケットを受信する場合のメディア配信制御装置Ａ１の受信ポート番号。
【００２８】
NetRecvIP-B：メディア配信制御装置Ａ１から映像パケットを受信する場合のメディア配信制御装置Ｂ１のＩＰアドレス。
【００２９】
NetRecvPort-B：メディア配信制御装置Ａ１から映像パケットを受信する場合のメディア配信制御装置Ｂ１の受信ポート番号。
【００３０】
ExtSendIP-B：映像通信装置Ｂ２のＩＰアドレス（メディア配信制御装置Ｂ１から見れば宛先IPアドレス）。
【００３１】
ExtSendPort-B：映像通信装置Ｂ２の映像データ受信ポート（メディア配信制御装置Ｂ１から見れば宛先ポート番号）。
【００３２】
ExtRecvPort-B：映像通信装置Ｂ２から映像パケットを受信する場合のメディア配信制御装置Ｂ１の受信ポート番号。
【００３３】
以下で説明する動作の前提として、メディア配信制御装置Ａ１の設定情報格納部Ａ１４、及びメディア配信制御装置Ｂ１の設定情報格納部Ｂ１４には、それぞれ図４（ａ）、（ｂ）に示す情報が格納されているものとする。なお、図４、図５に示す設定情報は、本発明に特に関係する情報を示すものであり、図示する情報以外にも、通信を行うために必要なアドレス情報やメディア情報等をメモリ等に格納手段に保持し、適宜メモリから読み出して使用している。
【００３４】
図４（ａ）に示すように、メディア配信制御装置Ａ１の設定情報格納部Ａ１４には、映像通信装置Ａ２から映像パケットを受信する受信ポート番号（ExtRecvPort-A）、映像通信装置Ａ２に映像パケットを送信する場合の宛先ＩＰアドレス（ExtSendIP-A）及び宛先ポート番号（ExtSendPort-A）、対向のメディア配信制御装置Ｂ１の識別情報（番号Ｂ、電場番号等）、メディア配信制御装置Ｂ１から映像パケットを受信する場合の受信ポート番号（NetRecvPort-A）が格納されている。図４（ａ）に示す情報により、メディア配信制御装置Ｂ１から受信ポート（NetRecvPort-A）にて受信した映像パケットは、映像通信装置Ａ２（ExtSendIP-A、ExtSendPort-A）宛に送信することが規定される。メディア配信制御装置Ｂ１においても同様の情報が格納される。
【００３５】
これらの情報は、例えば、外部ＩＦ部Ａ１３を用いて、システム管理者等により予め設定される。より詳細には、例えば、映像通信装置Ａ２との通信に関する情報は、映像通信装置Ａ２を設置するときに設定し、ネットワーク側の情報ついては、接続先として拠点Ｂを指定したとき（メディア配信制御装置Ｂ１の電話番号を指定したとき等）に設定することとしてよい。
【００３６】
図３に戻り、プロトコルＡの機能を備える電話機Ａ３が、接続要求メッセージ（ＳＩＰの例ではＩＮＶＩＴＥ）をメディア配信制御装置Ａ１に送信し（ステップ１）、メディア配信制御装置Ａ１の呼接続制御部Ａ１１が接続要求メッセージを受信し、応答メッセージ（ＳＩＰの例では２００ＯＫ）を電話機Ａ３に返す（ステップ２）。これにより、電話機Ａ３とメディア配信制御装置Ａ１間に音声通信のセッションが確立し、音声パケットによる音声通信が可能な状態になる（ステップ３）。
【００３７】
次に、ステップ４において、メディア配信制御装置Ａ１の呼接続制御部Ａ１１は、メディア配信制御装置Ｂ１とのセッション接続を要求する接続要求メッセージを作成し、この接続要求メッセージをメディア配信制御装置Ｂ１に送信する（ステップ４、５）。
【００３８】
メディア配信制御装置Ａ１の呼接続制御部Ａ１１がメディア配信制御装置Ｂ１とのセッション接続を要求する接続要求メッセージを作成／送信する契機は、例えば、電話機Ａ３から接続要求メッセージを受けたときとしてもよい。この場合、接続要求メッセージにより接続を要求する相手先（本例ではメディア配信制御装置Ｂ１）の番号は、メディア配信制御装置Ａ１に予め指定しておくこととしてもよいし、電話機Ａ３から受信する接続要求メッセージの中に設定して、これを利用することとしてもよい。
【００３９】
また、メディア配信制御装置Ａ１の呼接続制御部Ａ１１がメディア配信制御装置Ｂ１とのセッション接続を要求する接続要求メッセージを作成／送信する契機を、電話機Ａ３から接続要求メッセージを受信するか否かとは関係なく、メディア配信制御装置Ａ１が外部ＩＦ部Ａ１３等を介して接続指示を受けたときとしてもよい。この場合、接続相手先の番号は接続指示で指定される。また、メディア配信制御装置Ａ１がタイマーを備え、外部ＩＦ部Ａ１３等を介して接続時刻を指定し、接続時刻になったら接続要求メッセージを送信することとしてもよい。
【００４０】
本実施の形態では、メディア配信制御装置Ａ１の呼接続制御部Ａ１１は、接続要求メッセージを作成する契機において、設定情報格納部Ａ１４を参照し、プロトコルＡ対応でない映像通信装置Ａ２の情報が設定されているか否かを確認する。
【００４１】
本例では、映像通信装置Ａ２の情報が設定されているので、そのことを確認すると、接続要求メッセージ内に、映像メディアに関する情報（映像メディアを扱えることを示す情報）を含める。例えば、プロトコルＡがＳＩＰであれば、ＩＮＶＩＴＥメッセージの中のボディ部の中に、SDP(Session Description Protocol)に従って、メディアタイプとしての「video」、映像パケットを受信する受信ポート番号、その他の属性等を記述した情報を含める。この情報を受信側が受信することにより、受信側は、相手側は映像を扱えることを認識できる。なお、映像メディアに関する情報は、メディア配信制御装置Ａ１に予め設定しておく情報である。また、この映像メディアに関する情報は、メディア配信制御装置Ａ１が映像メディア通信を行うことができることを示すメディア情報である。
【００４２】
仮に、映像通信装置Ａ２の情報が設定されていない場合（映像通信装置Ａ２が接続されていない場合）、メディア配信制御装置Ａ１の呼接続制御部Ａ１１は、映像メディアに関する情報を含まない接続要求メッセージを作成し、送信する。この場合、本実施の形態では、音声メディアに関する情報を含む接続要求メッセージを作成し、送信する。この音声メディアに関する情報を含めることは、予め設定により決めておいてもよいし、電話機Ａ３から受信する接続要求メッセージに音声メディアに関する情報が含まれていることを確認した場合に、その音声メディアに関する情報を利用して含めることとしてもよい。
【００４３】
本例では、映像通信装置Ａ２の情報が設定されているとともに、音声通信も行うこととしているので、メディア配信制御装置Ａ１の呼接続制御部Ａ１１は、映像メディアに関する情報と、音声メディアに関する情報の両方を含む接続要求メッセージを作成し、送信する。なお、接続要求メッセージに音声メディアに関する情報のみを含ませることは従来技術に係る動作であり、本実施の形態の動作は、従来技術の動作と比べて、映像メディアに関する情報を追加する動作が加わったものである。
【００４４】
メディア配信制御装置Ａ１の呼接続制御部Ａ１１から送信された接続要求メッセージは、メディア配信制御装置Ｂ１の呼接続制御部Ｂ１１が受信する。
【００４５】
メディア配信制御装置Ｂ１の呼接続制御部Ｂ１１は、受信した接続要求メッセージに含まれる情報から、送信元ＩＰアドレス（メディア配信制御装置Ａ１のＩＰアドレス、NetRecvIP-A）と映像パケットの宛先ポート番号（メディア配信制御装置Ａ1の受信ポート番号、NetRecvPort-A）を取得し、これを設定情報格納部Ｂ１４に格納する。これらの情報が格納された後の情報を図５（ｂ）に示す。
【００４６】
図３に戻る。本実施の形態では、接続を受ける側である拠点Ｂにおいて、メディア配信制御装置Ｂ１がメディア配信制御装置Ａ１から接続要求メッセージを受信したことを契機として、メディア配信制御装置Ｂ１の呼接続制御部Ｂ１１は、電話機Ｂ３に対して接続要求メッセージを送り（ステップ６）、応答メッセージを受信することで（ステップ７）、メディア配信制御装置Ｂ１と電話機Ｂ３との間で音声パケット通信のセッションが確立される（ステップ８）。
【００４７】
ステップ９において、メディア配信制御装置Ｂ１の呼接続制御部Ｂ１１は、ステップ５で受信した接続要求メッセージの応答である応答メッセージを作成、送信する（ステップ９）。この場合、メディア配信制御装置Ａ１が接続要求メッセージを送信する場合と同様に、メディア配信制御装置Ｂ１の呼接続制御部Ｂ１１は、設定情報格納部Ｂ１４を参照することにより、映像通信装置Ｂ２の情報が設定されていることを確認し、応答メッセージに、映像メディアに関する情報を含める。つまり、電話機Ｂ３による音声通信のための音声メディアに関する情報に加えて、映像メディアに関する情報が含められる。
【００４８】
メディア配信制御装置Ａ１の呼接続制御部Ａ１１は、応答メッセージを受信し（ステップ１０）、受信した応答メッセージに含まれる情報から、ネットワーク側の映像パケットの宛先ＩＰアドレス（メディア配信制御装置Ｂ１のＩＰアドレス、NetRecvIP-B）と宛先ポート番号（メディア配信制御装置Ｂ1の受信ポート番号、NetRecvPort-B）を取得し、これらを設定情報格納部Ａ１４に格納する。これらの情報が格納された後の情報を図５（ａ）に示す。メディア配信制御装置Ａ１では、図５（ａ）に示す情報が設定されたことにより、映像通信装置Ａ２から受信する映像パケットを、対向のメディア配信制御装置Ｂ１のＩＰアドレス及び受信ポート宛に送信することができるようになる。
【００４９】
以上のプロトコルＡのメッセージ送受信により、メディア配信制御装置Ａ１とメディア配信制御装置Ｂ１との間でメディア通信（音声と映像）のセッションが確立し、図３に示す映像パケットと音声パケットの送受信が可能となる（ステップ１１、１２）。図３では、拠点Ａ側がメディア配信側で、拠点Ｂ側がメディア受信側であることを想定した映像パケット及び音声パケットの伝送方向を示している。
【００５０】
つまり、映像に関して、映像通信装置Ａ２から送信された映像パケットは、メディア配信制御装置Ａ１のメディア通信部Ａ１２が受信ポート（ExtRecvPort-A）で受信し、図５（ａ）の紐付け情報に従って、当該映像パケットをメディア配信制御装置Ｂ１の映像メディア受信ポート（NetRecvPort-B）に送信する。映像パケットを受信ポート（NetRecvPort-B）により受信したメディア配信制御装置B１のメディア通信部Ｂ１２は、図５（ｂ）の情報に従って、映像パケットを映像通信装置Ｂ２の宛先ポート（ExtSendPort-B）に転送する。このようにして映像通信装置Ａ２から映像通信装置Ｂ２への映像パケットの送信ができる。映像通信装置Ｂ２から映像通信装置Ａ２への映像パケットの送信についても同様に行うことができる。
【００５１】
音声については、電話機Ａ３から送信された音声パケットがメディア配信制御装置Ａ１によりメディア配信制御装置Ｂ１に転送され、メディア配信制御装置Ｂ１により電話機Ｂ２に転送される。
【００５２】
これまでに説明した例では、電話機Ａ２、Ｂ２として実際の電話機を用いているが、電話機を仮想端末（ソフトウェア）としてメディア配信制御装置Ａ１、Ａ２内に備え、図３と同様のシーケンスの処理を行うことによりメディアのセッションを確立してもよい。
【００５３】
また、上記の実施の形態において、設定情報として配下の映像通信装置との通信に係るポート番号のみを予め決め、設定情報格納部に格納しておき、配下の映像通信装置から映像パケットを受信した場合に、そのパケットから送信元のアドレスを抽出して設定することとしてもよい。
【００５４】
図６は、プロトコルＡがＳＩＰである場合において本実施の形態の動作をまとめて示した図である。図６に示すように、メディア配信制御装置間のセッション確立において、メディアに関する情報として音声(audio)と映像（video)が用いられている。
【００５５】
＜第２の実施の形態＞
第１の実施の形態では、電話機もしくは仮想端末を備え、音声通信を含むメディア通信のセッションを確立する場合の例を示したが、本発明の実施において、電話機もしくは仮想端末を備えることは必ずしも必須ではない。以下では、電話機もしくは仮想端末を備えない場合の実施の形態を第２の実施の形態として説明する。
【００５６】
図７に、本実施の形態のシステム構成図を示す。図７に示すように、本実施の形態のシステム構成は、図１に示した第１の実施の形態の構成から、電話機Ａ３、Ｂ３を除いたものに相当する。映像通信装置Ａ２、Ｂ２は、第１の実施の形態で説明したものと同じである。
【００５７】
メディア配信制御装置Ａ１、Ｂ１の機能構成図は、図２に示したとおりであるが、その動作に第１の実施の形態と異なる点がある。
【００５８】
以下、図８に示すシーケンス図のシーケンスに沿って、本実施の形態に係るシステムの動作を説明する。以下の説明においても第１の実施の形態で用いたＩＰアドレス及びポート番号を表す記号を必要に応じて使用する。また、第１の実施の形態と同様に、図８に示す動作の前提として、図４に示す情報が各設定情報格納部に格納されているものとする。
【００５９】
図８において、映像通信装置Ａ２が、映像パケットをメディア配信制御装置Ａ１に送信する（ステップ２１）。メディア配信制御装置Ａ１のメディア通信部Ａ１２は、映像通信装置Ａ２から映像パケットを受信したことを検出すると、そのことを呼接続制御部Ａ１１に通知する。
【００６０】
呼接続制御部Ａ１１は、この通知を契機として、メディア配信制御装置Ｂ１とのセッション接続を要求する接続要求メッセージを作成し、送信する（ステップ２２）。ここでの接続要求メッセージは、第１の実施の形態でメディア配信制御装置Ａ１からメディア配信制御装置Ｂ１に送られる接続要求メッセージと同様に、映像メディアに関する情報を含む。音声メディアに関する情報は含めないが、何らかの手段によりメディア配信制御装置Ａ１、Ｂ１間で音声パケットの通信を行う場合には、音声メディアに関する情報も含めてよい。なお、本例では、接続要求メッセージを作成／送信する契機を映像通信装置Ａ２から映像パケットを受信したときとしたが、契機はこれに限られるわけではない。例えば、外部IF部Ａ１３を介して外部から接続指示を受けた時点、予め定めた時刻なったときなどに接続要求メッセージを作成し、送信することとしてもよい。
【００６１】
メディア配信制御装置Ａ１の呼接続制御部Ａ１１から送信された接続要求メッセージは、メディア配信制御装置Ｂ１の呼接続制御部Ｂ１１が受信する（ステップ２３）。
【００６２】
メディア配信制御装置Ｂ１の呼接続制御部Ｂ１１は、受信した接続要求メッセージに含まれる情報から、映像パケットの宛先ＩＰアドレス（メディア配信制御装置Ａ１のネット側ＩＰアドレス、NetRecvIP-A）とポート番号（メディア配信制御装置Ａ１の受信ポート番号、ExtRecvPort-A）を取得し、これを設定情報格納部Ｂ１４に格納する。これらの情報が格納された後の情報は図５（ｂ）に示すとおりである。メディア配信制御装置Ｂ１では、図５（ｂ）に示す情報が設定されたことにより、映像通信装置Ｂ２から受信する映像パケットを、対向のメディア配信制御装置Ａ１のＩＰアドレス及び受信ポート宛に送信することができるようになる。
【００６３】
ステップ２４において、メディア配信制御装置Ｂ１の呼接続制御部Ｂ１１は、ステップ２３で受信した接続要求メッセージの応答である応答メッセージを作成、送信する。この場合、メディア配信制御装置Ａ１が接続要求メッセージを送信する場合と同様に、メディア配信制御装置Ｂ１の呼接続制御部Ｂ１１は、応答メッセージに、映像メディアに関する情報を含める。
【００６４】
メディア配信制御装置Ａ１の呼接続制御部Ａ１１は、応答メッセージを受信し（ステップ２５）、受信した接続要求メッセージに含まれる情報から、ネットワーク側の映像パケットの宛先ＩＰアドレス（メディア配信制御装置Ｂ１のＩＰアドレス、NetRecvIP-B）と映像パケットの宛先ポート番号（メディア配信制御装置Ｂ１の映像パケット受信ポート番号、NetRecvPort-B）を取得し、これを設定情報格納部Ａ１４に格納する。これらの情報が格納された後の情報は図５（ａ）に示したとおりである。メディア配信制御装置Ａ１では、図５（ａ）に示す情報が設定されたことにより、映像通信装置Ａ２から受信する映像パケットを、対向のメディア配信制御装置Ｂ１のＩＰアドレス及び受信ポート宛に送信することができるようになる。
【００６５】
これにより、メディア配信制御装置Ａ１とメディア配信制御装置Ｂ１との間でメディア通信（映像）のプロトコルＡでのセッションが確立し、映像パケットの送受信が可能となる。また、図５に示す情報により、メディア配信制御装置による配下の映像通信装置についての映像パケット転送処理が可能となる。結果として、映像通信装置Ａ２と映像通信装置Ｂ２間での映像パケットの送受信が可能となる（ステップ２６）。
【００６６】
＜第３の実施の形態＞
次に、第３の実施の形態について説明する。第３の実施の形態では、１つの映像通信装置から、メディア配信制御装置を介して、複数の映像通信装置に映像パケットを配信する例を説明する。以下の説明において、各映像通信装置は、これまでに説明したものと同様に、プロトコルAに対応していない映像通信装置である。
【００６７】
図９に、第３の実施の形態における第１の例のシステム構成図を示す。第１の例では、拠点Ａに、複数の拠点Ｂ−１〜Ｂ−１がネットワークを介して接続され、各拠点は、映像通信装置とメディア配信制御装置を備える。
【００６８】
本例において、映像パケットの配信を受ける側のメディア配信制御装置は、第１の実施の形態もしくは第２の実施の形態で説明したメディア配信制御装置でよい。映像パケットの配信を行う側のメディア配信制御装置Ａ１の機能構成を図１０に示す。図１０に示すように、メディア通信部Ａ１２に、コピー処理部Ａ１２１を含む点が図２の構成と異なる。
【００６９】
コピー処理部Ａ１２１は、セッションにおいて運ばれるメディアに応じて、どのようなメディアでもコピー処理可能であるが、本例では、映像パケットのコピーを例に挙げる。
【００７０】
図１１に、コピー処理の概念を示す。本実施の形態では、メディア配信制御装置Ａ１のメディア通信部Ａ１２が映像通信装置Ａ２により送信された映像パケットを受信ポートで受信すると、コピー処理部Ａ１２１が、当該映像パケットを配信先の拠点の数だけコピーする。コピーされた各映像パケットは、各拠点との間に確立されている各セッションを用いて、各拠点に向けて配信される。ここで、配信元と配信先のそれぞれのセッションは、配信先が１つである場合のセッションと同じである。
【００７１】
図１２のシーケンス図を参照して、本実施の形態におけるシステムの動作を説明する。なお、図１２では、便宜上、配信先（受信側）として２つの拠点を示しているが、配信先が２より多い数でも実質的な処理に変更はない。また、以下では、電話機等を含まない第２の実施の形態をベースにした形態について説明するが、電話機等を備えることにより第１の実施の形態をベースにしても同様である。つまり、配信側と各拠点との間でセッションを確立する処理は、第１の実施の形態での処理を用いてもよいし、第２の実施の形態での処理を用いてもよい。
【００７２】
図１２に示す動作の前提として、受信側のメディア配信制御装置の設定情報格納部には、図４（ｂ）に示す情報と同様の情報（もちろん、具体的な値は異なる）が格納されている。配信側のメディア配信制御装置Ａ１の設定情報格納部Ａ１４には、図４（ａ）に示す情報と同様の情報が、配信先の拠点数分だけ格納されている。つまり、図１２の例では、メディア配信制御装置Ｂ１−１とセッションを確立するための情報と、メディア配信制御装置Ｂ２−１とセッションを確立するための情報が格納されている。それぞれの情報は、図４（ａ）に示す情報と同様である（もちろん、具体的な値は異なる）。
【００７３】
図１２において、配信側の映像通信装置Ａ２が、映像パケットをメディア配信制御装置Ａ１に送信する（ステップ３１）。メディア配信制御装置Ａ１のメディア通信部Ａ１２は、映像通信装置Ａ２から映像パケットを受信したことを検出すると、そのことを呼接続制御部Ａ１１に通知する。
【００７４】
呼接続制御部Ａ１１は、この通知を契機として、メディア配信制御装置Ｂ１−１とのセッション接続を要求する接続要求メッセージを作成し、送信する（ステップ３２）。ここでの接続要求メッセージには映像メディアに関する情報が含められる。メディア配信制御装置Ａ１の呼接続制御部Ａ１１から送信された接続要求メッセージは、メディア配信制御装置Ｂ１−１の呼接続制御部が受信する（ステップ３３）。
【００７５】
メディア配信制御装置Ｂ１−１の呼接続制御部は、受信した接続要求メッセージに含まれる情報に基づいて設定情報格納部へ情報設定を行う。ステップ３４において、メディア配信制御装置Ｂ１−１の呼接続制御部は、ステップ３３で受信した接続要求メッセージの応答である応答メッセージを作成、送信する。応答メッセージには、映像メディアに関する情報が含められる。
【００７６】
メディア配信制御装置Ａ１の呼接続制御部Ａ１１は、応答メッセージを受信し（ステップ３５）、受信した接続要求メッセージに含まれる情報に基づいて設定情報格納部Ａ１４におけるメディア配信制御装置Ｂ１−１に対応する部分の情報設定を行う。
【００７７】
続いて、同様にして、メディア配信制御装置Ｂ２−１に対してセッション確立の処理が実行される（ステップ３６〜ステップ３９）。
【００７８】
これにより、メディア配信制御装置Ａ１と、メディア配信制御装置Ｂ１−１及びメディア配信制御装置Ｂ２−１のそれぞれとの間でメディア通信（映像）のプロトコルＡでのセッションが確立し、映像パケットの配信が可能となる（ステップ４０、４１、４２、４３）。前述したように、映像パケット配信の際に、メディア配信制御装置Ａ１のメディア通信部Ａ１２は、映像通信装置Ａ２から受信した映像パケットをコピーして、各拠点に対応する設定情報を用いて、各拠点に映像パケットを送信する。
【００７９】
図１３に第２の例を示す。第２の例は、図９に示す第１の例において、拠点Ａと各拠点との間に配信センターが備えられ、配信センターのメディア配信制御装置１００が、各拠点への映像パケットの配信を行う。また、メディア配信制御装置１００は、第１の例におけるメディア配信制御装置Ａ１と同様にコピー処理部を供える。
【００８０】
第２の例では、例えば、拠点Ａから接続要求メッセージがメディア配信制御装置１００に送信されることで、拠点Ａと配信センター間での映像通信のセッションが確立され、図１２と同様にして、配信センターから配信先の各拠点に接続要求メッセージが送信されることにより、配信センターと各拠点間での映像通信のセッションが確立される。そして、拠点Ａから送信された映像パケットが配信センターによりコピーされ、各拠点に配信される。
【００８１】
本発明は、上記の実施の形態に限定されることなく、特許請求の範囲内において、種々変更・応用が可能である。
【００８２】
上述した実施の形態では、プロトコルＡに対応していない装置として映像通信装置を例に挙げ、映像メディアに関する情報をプロトコルＡのメッセージに含める例について説明したが、プロトコルＡに対応していない装置は映像通信装置に限られるわけではない。例えば、メディアとして「データ」、「アプリケーション」を扱うメディア通信端末がプロトコルＡに対応していない場合でも、映像通信装置の場合と同様にして、該当メディアに関する情報をプロトコルＡのメッセージに含めることにより、プロトコルＡのネットワークを介して、プロトコルＡに対応していないメディア通信端末間でのメディア通信が可能となる。
【符号の説明】
【００８３】
Ａ１、Ｂ１  メディア配信制御装置
Ａ２、Ｂ２  映像通信装置
Ａ３、Ｂ３  電話機
Ａ１１、Ｂ１１  呼接続制御部
Ａ１２、Ｂ１２  メディア通信部
Ａ１３、Ｂ１３  外部ＩＦ部
Ａ１４、Ｂ１４  設定情報格納部
１０  ネットワーク
【図１】
2013162241.tif 000003
【図２】
2013162241.tif 000004
【図３】
2013162241.tif 000005
【図４】
2013162241.tif 000006
【図５】
2013162241.tif 000007
【図６】
2013162241.tif 000008
【図７】
2013162241.tif 000009
【図８】
2013162241.tif 000010
【図９】
2013162241.tif 000011
【図１０】
2013162241.tif 000012
【図１１】
2013162241.tif 000013
【図１２】
2013162241.tif 000014
【図１３】
2013162241.tif 000015